【手続補正書】
【提出日】平成18年3月14日(2006.3.14)
【手続補正１】
【補正対象書類名】明細書
【補正対象項目名】特許請求の範囲
【補正方法】変更
【補正の内容】
【特許請求の範囲】
【請求項１】  少なくとも一方の平面に撮影レンズを設けた平板状の第１の本体筐体と、
少なくとも一方の平面に表示部を設けた第２の本体筐体と、
上記第１及び第２の筐体の各端面に対して取付けられてこれらを接続し、上記第１の本体の筐体の撮影レンズを設けた平面と上記第２の筐体の表示部を設けた平面、あるいは上記第１の本体の筐体の撮影レンズを設けていない平面と上記第２の筐体の表示部を設けていない平面が当接可能となるように回動自在に支持するヒンジ機構と、
上記第１及び第２の筐体の上記ヒンジ機構を形成した端面と相対向する端面に突出形成された滑り止め部と
を具備したことを特徴とする携帯電子機器。
【請求項２】  少なくとも一方の平面に撮影レンズを設けた平板状の第１の本体筐体と、
少なくとも一方の平面に表示部を設けた第２の本体筐体と、
上記第１及び第２の筐体の各端面に対して取付けられてこれらを接続し、上記第１の本体の筐体の撮影レンズを設けた平面と上記第２の筐体の表示部を設けた平面、あるいは上記第１の本体の筐体の撮影レンズを設けていない平面と上記第２の筐体の表示部を設けていない平面が当接可能となるように回動自在に支持するヒンジ機構と、
上記第１及び第２の本体筐体とヒンジ機構の少なくとも一方に設けられ、所定の角度位置で上記第１及び第２の本体筐体とヒンジ機構とを係合してクリック感を与える係合部と
を具備したことを特徴とする携帯電子機器。
【請求項３】  上記ヒンジ機構は、上記第１及び第２の本体筐体をそれぞれ回動自在に支持する２軸構造を有し、
上記滑り止め部は、上記第１及び第２の筐体の上記ヒンジ機構を形成した端面と相対向する各端面にそれぞれ少なくとも１個以上、且つ合計で３個以上突出形成されていることを特徴とする請求項１または２記載の携帯電子機器。
【請求項４】  上記第１及び第２の本体筐体とヒンジ機構とがそれぞれ所定の角度となった場合にこれを検出する角度検出手段と、
この角度検出手段での検出結果に応じて特定の動作モードに移行するモード制御手段と
をさらに具備したことを特徴とする請求項１または２記載の携帯電子機器。
【請求項５】  上記特定の動作モードは、シャッタ操作から一定時間経過後に上記撮影レンズを用いて画像の撮影を行なうセルフタイマモードであることを特徴とする請求項４記載の携帯電子機器。
【請求項６】  上記撮影レンズを用いた撮影で得る画像データを記録する記録手段をさらに具備し、
上記特定の動作モードは、上記記録手段に記録された画像データを上記表示部で表示する再生モードである
ことを特徴とする請求項４記載の携帯電子機器。
【請求項７】
少なくとも一方の平面に撮影レンズを設けた平板状の第１の本体筐体と、少なくとも一方の平面に表示部を設けた第２の本体筐体と、上記第１及び第２の筐体の各端面に対して取付けられてこれらを接続し、上記第１の本体の筐体の撮影レンズを設けた平面と上記第２の筐体の表示部を設けた平面、あるいは上記第１の本体の筐体の撮影レンズを設けていない平面と上記第２の筐体の表示部を設けていない平面が当接可能となるように回動自在に支持するヒンジ機構とを備えた携帯電子機器の動作制御方法であって、
上記第１及び第２の本体筐体とヒンジ機構とがそれぞれ所定の角度となった場合にこれを検出する角度検出工程と、
この角度検出工程での検出結果に応じて特定の動作モードに移行するモード制御工程と
を有したことを特徴とする携帯電子機器の動作制御方法。
【請求項８】
少なくとも一方の平面に撮影レンズを設けた平板状の第１の本体筐体と、少なくとも一方の平面に表示部を設けた第２の本体筐体と、上記第１及び第２の筐体の各端面に対して取付けられてこれらを接続し、上記第１の本体の筐体の撮影レンズを設けた平面と上記第２の筐体の表示部を設けた平面、あるいは上記第１の本体の筐体の撮影レンズを設けていない平面と上記第２の筐体の表示部を設けていない平面が当接可能となるように回動自在に支持するヒンジ機構とを備えた携帯電子機器が内蔵するコンピュータが実行するプログラムであって、
上記第１及び第２の本体筐体とヒンジ機構とがそれぞれ所定の角度となった場合にこれを検出する角度検出ステップと、
この角度検出ステップでの検出結果に応じて特定の動作モードに移行するモード制御ステップと
をコンピュータに実行させることを特徴とするプログラム。
【手続補正２】
【補正対象書類名】明細書
【補正対象項目名】００１２
【補正方法】変更
【補正の内容】
【００１２】
【課題を解決するための手段】
請求項１記載の発明は、少なくとも一方の平面に撮影レンズを設けた平板状の第１の本体筐体と、少なくとも一方の平面に表示部を設けた第２の本体筐体と、上記第１及び第２の筐体の各端面に対して取付けられてこれらを接続し、上記第１の本体の筐体の撮影レンズを設けた平面と上記第２の筐体の表示部を設けた平面、あるいは上記第１の本体の筐体の撮影レンズを設けていない平面と上記第２の筐体の表示部を設けていない平面が当接可能となるように回動自在に支持するヒンジ機構と、上記第１及び第２の筐体の上記ヒンジ機構を形成した端面と相対向する端面に突出形成された滑り止め部とを具備したことを特徴とする。
【手続補正３】
【補正対象書類名】明細書
【補正対象項目名】００１４
【補正方法】変更
【補正の内容】
【００１４】
請求項２記載の発明は、少なくとも一方の平面に撮影レンズを設けた平板状の第１の本体筐体と、少なくとも一方の平面に表示部を設けた第２の本体筐体と、上記第１及び第２の筐体の各端面に対して取付けられてこれらを接続し、上記第１の本体の筐体の撮影レンズを設けた平面と上記第２の筐体の表示部を設けた平面、あるいは上記第１の本体の筐体の撮影レンズを設けていない平面と上記第２の筐体の表示部を設けていない平面が当接可能となるように回動自在に支持するヒンジ機構と、上記第１及び第２の本体筐体とヒンジ機構の少なくとも一方に設けられ、所定の角度位置で上記第１及び第２の本体筐体とヒンジ機構とを係合してクリック感を与える係合部とを具備したことを特徴とする。
【手続補正４】
【補正対象書類名】明細書
【補正対象項目名】００１６
【補正方法】変更
【補正の内容】
【００１６】
請求項３記載の発明は、上記請求項１または２記載の発明において、上記ヒンジ機構は、上記第１及び第２の本体筐体をそれぞれ回動自在に支持する２軸構造を有し、上記滑り止め部は、上記第１及び第２の筐体の上記ヒンジ機構を形成した端面と相対向する各端面にそれぞれ少なくとも１個以上、且つ合計で３個以上突出形成されていることを特徴とする。
請求項４記載の発明は、上記請求項１または２記載の発明において、上記第１及び第２の本体筐体とヒンジ機構とがそれぞれ所定の角度となった場合にこれを検出する角度検出手段と、この角度検出手段での検出結果に応じて特定の動作モードに移行するモード制御手段とをさらに具備したことを特徴とする。
【手続補正５】
【補正対象書類名】明細書
【補正対象項目名】００１８
【補正方法】変更
【補正の内容】
【００１８】
請求項５記載の発明は、上記請求項４記載の発明において、上記特定の動作モードは、シャッタ操作から一定時間経過後に上記撮影レンズを用いて画像の撮影を行なうセルフタイマモードであることを特徴とする。
【手続補正６】
【補正対象書類名】明細書
【補正対象項目名】００１９
【補正方法】変更
【補正の内容】
【００１９】
このような構成とすれば、上記請求項４記載の発明の作用に加えて、機器を所定の状態で載置するだけで、セルフタイマのモード設定の手間を省略して、速やかに画像撮影に移行できる。
【手続補正７】
【補正対象書類名】明細書
【補正対象項目名】００２０
【補正方法】変更
【補正の内容】
【００２０】
請求項６記載の発明は、上記請求項４記載の発明において、上記撮影レンズを用いた撮影で得る画像データを記録する記録手段をさらに具備し、上記特定の動作モードは、上記記録手段に記録された画像データを上記表示部で表示する再生モードであることを特徴とする。
【手続補正８】
【補正対象書類名】明細書
【補正対象項目名】００２１
【補正方法】変更
【補正の内容】
【００２１】
このような構成とすれば、上記請求項４記載の発明の作用に加えて、機器を所定の状態で載置するだけで記録している画像の再生モードに速やかに移行するため、当該機器を例えば電子的な写真立てとして利用するなど、より気軽にオリジナル画像の再生表示を行なわせることができる。
【手続補正９】
【補正対象書類名】明細書
【補正対象項目名】００２２
【補正方法】変更
【補正の内容】
【００２２】
請求項７記載の発明は、少なくとも一方の平面に撮影レンズを設けた平板状の第１の本体筐体と、少なくとも一方の平面に表示部を設けた第２の本体筐体と、上記第１及び第２の筐体の各端面に対して取付けられてこれらを接続し、上記第１の本体の筐体の撮影レンズを設けた平面と上記第２の筐体の表示部を設けた平面、あるいは上記第１の本体の筐体の撮影レンズを設けていない平面と上記第２の筐体の表示部を設けていない平面が当接可能となるように回動自在に支持するヒンジ機構とを備えた携帯電子機器の動作制御方法であって、上記第１及び第２の本体筐体とヒンジ機構とがそれぞれ所定の角度となった場合にこれを検出する角度検出工程と、この角度検出工程での検出結果に応じて特定の動作モードに移行するモード制御工程とを有したことを特徴とする。
【手続補正１０】
【補正対象書類名】明細書
【補正対象項目名】００２４
【補正方法】変更
【補正の内容】
【００２４】
請求項８記載の発明は、少なくとも一方の平面に撮影レンズを設けた平板状の第１の本体筐体と、少なくとも一方の平面に表示部を設けた第２の本体筐体と、上記第１及び第２の筐体の各端面に対して取付けられてこれらを接続し、上記第１の本体の筐体の撮影レンズを設けた平面と上記第２の筐体の表示部を設けた平面、あるいは上記第１の本体の筐体の撮影レンズを設けていない平面と上記第２の筐体の表示部を設けていない平面が当接可能となるように回動自在に支持するヒンジ機構とを備えた携帯電子機器が内蔵するコンピュータが実行するプログラムであって、上記第１及び第２の本体筐体とヒンジ機構とがそれぞれ所定の角度となった場合にこれを検出する角度検出ステップと、この角度検出ステップでの検出結果に応じて特定の動作モードに移行するモード制御ステップとをコンピュータに実行させることを特徴とする。
【手続補正１１】
【補正対象書類名】明細書
【補正対象項目名】０１０７
【補正方法】変更
【補正の内容】
【０１０７】
請求項４記載の発明によれば、上記請求項１または２記載の発明の効果に加えて、機器を所定の状態で載置するだけで予め特定された動作モードに速やかに移行するため、より気軽に画像の撮影や表示を行なわせることができる。
【手続補正１２】
【補正対象書類名】明細書
【補正対象項目名】０１０８
【補正方法】変更
【補正の内容】
【０１０８】
請求項５記載の発明によれば、上記請求項４記載の発明の効果に加えて、機器を所定の状態で載置するだけで、セルフタイマのモード設定の手間を省略して、速やかに画像撮影に移行できる。
【手続補正１３】
【補正対象書類名】明細書
【補正対象項目名】０１０９
【補正方法】変更
【補正の内容】
【０１０９】
請求項６記載の発明によれば、上記請求項４記載の発明の効果に加えて、機器を所定の状態で載置するだけで記録している画像の再生モードに速やかに移行するため、当該機器を例えば電子的な写真立てとして利用するなど、より気軽にオリジナル画像の再生表示を行なわせることができる。
【手続補正１４】
【補正対象書類名】明細書
【補正対象項目名】０１１０
【補正方法】変更
【補正の内容】
【０１１０】
請求項７記載の発明によれば、機器を所定の状態で載置するだけで予め特定された動作モードに速やかに移行するため、より気軽に画像の撮影や表示を行なわせることができる。
【手続補正１５】
【補正対象書類名】明細書
【補正対象項目名】０１１１
【補正方法】変更
【補正の内容】
【０１１１】
請求項８記載の発明によれば、機器を所定の状態で載置するだけで予め特定された動作モードに速やかに移行するため、より気軽に画像の撮影や表示を行なわせることができる。